(57)【要約】【課題】電磁誘導に適した位置にアンテナ画像を記録するための画像データを生成することができる画像処理方法、画像処理装置、プログラムおよび記憶媒体を提供する。【解決手段】通信デバイスにおける電波発生装置の位置情報を含むデバイス情報を取得するデバイス情報取得手段と、前記通信デバイスに重ねられる記録媒体の前記通信デバイスとの位置関係を取得することが可能な情報を含む記録媒体情報を取得する記録媒体情報取得手段と、前記デバイス情報と前記記録媒体情報とに基づいて、前記電波発生装置と対向する前記記録媒体の対向位置に、誘導起電力が発生するアンテナを記録するための画像データを生成する生成手段とを有するようにした。【選択図】図５
2019008747.tif 000002
【特許請求の範囲】
【請求項１】
通信デバイスにおける電波発生装置の位置情報を含むデバイス情報を取得するデバイス情報取得手段と、
前記通信デバイスに重ねられる記録媒体の前記通信デバイスとの位置関係を取得することが可能な情報を含む記録媒体情報を取得する記録媒体情報取得手段と、
前記デバイス情報と前記記録媒体情報とに基づいて、前記電波発生装置と対向する前記記録媒体の対向位置に、誘導起電力が発生するアンテナを記録するための画像データを生成する生成手段と
を有することを特徴とする画像処理装置。
【請求項２】
前記記録媒体に配置されて、前記アンテナにおいて発生した電流が供給される通知部材の配置位置を取得する配置位置情報取得手段をさらに有し、
前記生成手段は、前記配置位置に基づいて前記アンテナの形状が異なる画像データを生成する
ことを特徴とする請求項１に記載の画像処理装置。
【請求項３】
前記アンテナは、前記電波発生装置からの電波によって電流を発生するアンテナ部と、前記アンテナ部で発生した電流が供給される通知部材が接続される端子とを備えることを特徴とする請求項１または２のいずれか１項に記載の画像処理装置。
【請求項４】
前記アンテナは、前記アンテナ部と前記端子とが回路により接続されることを特徴とする請求項３に記載の画像処理装置。
【請求項５】
前記通知部材は、ＬＥＤランプであることを特徴とする請求項２から４のいずれか１項に記載の画像処理装置。
【請求項６】
前記生成手段はさらに、前記記録媒体に装飾用の画像を記録するための画像データを生成することを特徴とする請求項５に記載の画像処理装置。
【請求項７】
前記生成手段は、前記記録媒体に前記アンテナの画像とともに、装飾用の画像を記録するための画像データを生成することを特徴とする請求項５に記載の画像処理装置。
【請求項８】
前記ＬＥＤランプの配置位置と、前記装飾用の画像における所定の位置とは、互いに対応した位置関係となることを特徴とする請求項６または７に記載の画像処理装置。
【請求項９】
前記生成手段は、前記画像データによって記録されるべき前記アンテナの少なくとも一部が前記記録媒体の記録領域から外れるときに、より大きな誘導起電力を発生するアンテナを前記記録領域内に記録するための画像データを生成することを特徴とする請求項１から８のいずれか１項に記載の画像処理装置。
【請求項１０】
前記生成手段は、前記画像データによって記録されるべき前記アンテナの少なくとも一部が前記記録媒体の記録領域から外れるときに、より大きな誘導起電力を発生するアンテナを、前記記録領域内であって、該アンテナの中心位置と前記対向位置とが所定の距離以下となる位置に記録するための画像データを生成することを特徴とする請求項１から８のいずれか１項に記載の画像処理装置。
【請求項１１】
通信デバイスにおける電波発生装置の位置情報を含むデバイス情報を取得するデバイス情報取得工程と、
前記通信デバイスに重ねられる記録媒体の前記通信デバイスとの位置関係を取得することが可能な情報を含む記録媒体情報を取得する記録媒体情報取得工程と、
前記デバイス情報と前記記録媒体情報とに基づいて、前記電波発生装置と対向する前記記録媒体の対向位置に、誘導起電力を発生するアンテナを記録するための画像データを生成する生成工程と
を有することを特徴とする画像処理方法。
【請求項１２】
コンピュータを、請求項１から１０のいずれか１項に記載の画像処理装置として機能させるためのプログラム。
【請求項１３】
請求項１２に記載のプログラムを記憶したコンピュータ読み取り可能な記憶媒体。
【発明の詳細な説明】
【技術分野】
【０００１】
本発明は、記録装置に出力する画像データを生成するための画像処理方法、画像処理装置、プログラムおよび記憶媒体に関する。
【背景技術】
【０００２】
特許文献１には、携帯端末に装着されるケースにおいて、携帯端末の電波発生装置と対応する位置にアンテナを設け、電波発生装置の電波を利用してアンテナにおいて誘導起電力を発生させ、アンテナに接続された発光部を発光させる技術が開示されている。
【先行技術文献】
【特許文献】
【０００３】
【特許文献１】特開２０１４−２１６３８号公報
【発明の概要】
【発明が解決しようとする課題】
【０００４】
スマートフォン、タブレットＰＣなどの携帯端末は、その種類によって形状が異なるため、電波発生装置が配置位置がその種類によって異なる。また、記録装置によりケースにアンテナを記録して形成する場合には、ケースの平面上にアンテナが平面方向に広がって形成されるため、垂直方向に幾重にも重ねられた形状のアンテナと比較して、電波の磁力による影響を受け難い。このため、平面方向に広がって形成されるアンテナでは、電磁誘導に適した位置により正確に配置される必要がある。
【０００５】
しかしながら、特許文献１には、記録装置によって電磁誘導に適した位置にアンテナ画像を記録するための画像データを生成する技術については開示されていない。
【０００６】
本発明は、上記課題に鑑みてなされたものであり、電磁誘導に適した位置にアンテナ画像を記録するための画像データを生成することができる画像処理方法、画像処理装置、プログラムおよび記憶媒体を提供することを目的とする。
【課題を解決するための手段】
【０００７】
上記目的を達成するために、本発明による画像処理装置は、通信デバイスにおける電波発生装置の位置情報を含むデバイス情報を取得するデバイス情報取得手段と、前記通信デバイスに重ねられる記録媒体の前記通信デバイスとの位置関係を取得することが可能な情報を含む記録媒体情報を取得する記録媒体情報取得手段と、前記デバイス情報と前記記録媒体情報とに基づいて、前記電波発生装置と対向する前記記録媒体の対向位置に、誘導起電力が発生するアンテナを記録するための画像データを生成する生成手段とを有することを特徴とする。
【発明の効果】
【０００８】
本発明によれば、記録装置によって、記録媒体における電磁誘導に適した位置にアンテナを記録することができるようになる。
【図面の簡単な説明】
【０００９】
【図１】画像形成装置のハードウェア構成を示すブロック図。
【図２】第１の実施の形態による画像生成装置の制御部の機能的構成を示すブロック図。
【図３】デバイス情報および記録媒体情報を説明する説明図。
【図４】アンテナの構成および配置位置を説明する説明図。
【図５】第１の生成処理の詳細な処理内容を示すフローチャート。
【図６】電波発生装置と対向する記録領域における対向位置の具体的に示す説明図。
【図７】第２の実施の形態による画像生成装置の制御部の機能的構成を示すブロック図。
【図８】ＬＥＤランプの配置位置に応じて変更されたアンテナ画像を示す説明図。
【図９】記録媒体に記録される画像を示す説明図。
【図１０】第２の生成処理の詳細の処理内容を示すフローチャート。
【図１１】電波発生装置とアンテナとの位置によるアンテナを貫く磁束の変化を示す説明図。
【図１２】アンテナ画像の変形例を示す説明図。
【図１３】記録媒体に記録される画像の変形例を示す説明図。
【図１４】操作画像を示す説明図。
【発明を実施するための形態】
【００１０】
以下、添付の図面を参照しながら、本発明による画像処理方法、画像処理装置、プログラムおよび記録媒体の一例を詳細に説明するものとする。
【００１１】
（第１の実施の形態）
まず、図１乃至図６を参照しながら、本発明による画像処理装置の第１の実施の形態について説明する。ここで、図１には、本発明による画像生成装置のハードウェア構成を示すブロック図が示されている。第１の実施の形態による画像生成装置１０（画像処理装置）は、インクジェット記録装置１６と接続されて、記録媒体に対してアンテナ画像を記録し、記録媒体上にアンテナ５６を形成する画像形成装置１００を構成している。
【００１２】
より詳細には、画像生成装置１０は、通信デバイスに重ね合わされる記録媒体に対して、通信デバイスの電波発生装置からの電波を利用して誘導起電力を発生するのに適した位置に、記録装置によりアンテナ画像を記録するための画像データを生成する。なお、通信デバイスに重ね合わされる記録媒体とは、例えば、通信デバイスに装着するケースおよび通信デバイスに貼り付け可能なシートなどである。通信デバイスについては、例えば、スマートフォンなどのモバイルデバイスを含む、通信可能な各種デバイスであって、電波発生装置を備えたデジタルカメラ、ビデオカメラ、テレビ、スピーカなどである。電波発生装置としては、例えば、ＮＦＣ（Ｎｅａｒ  Ｆｉｅｌｄ  Ｃｏｍｍｕｎｉｃａｔｉｏｎ）などの近距離無線通信装置などである。
【００１３】
この画像生成装置１０は、例えば、スマートフォン、タブレットＰＣなどのモバイルコンピュータ端末により構成され、インターフェース（Ｉ／Ｆ）１２、１４を介して、外部撮像デバイス３７やインクジェット記録装置１６が接続されている。また、画像生成装置１０は、無線ＬＡＮ１８を介して、インターネットと接続され、インターネットを介してサーバ２０に接続可能な構成となっている。なお、画像生成装置１０については、スマートフォン、タブレットＰＣにより構成されることに限定されるものでない。即ち、電波発生装置の有無に関わらず、例えば、デジタルカメラ、ビデオカメラ、テレビ、スピーカなどの各種装置に内蔵されるようにしてもよい。
【００１４】
画像生成装置１０は、各種の処理を実行するためのＣＰＵ２２を備えている。このＣＰＵ２２には、バス２４を介して、ＣＰＵ２２により種々の処理を実行するためのプログラムを格納したＲＯＭ２５と、ＣＰＵ２２によるプログラム実行時に必要な各種レジスタなどが設定されたワーキングエリアとしてのＲＡＭ２６とが接続されている。そして、このＣＰＵ２２、ＲＯＭ２５およびＲＡＭ２６などにより構成される制御部２１において、画像データの生成のための各種の処理が実行されることとなる。
【００１５】
また、ＣＰＵ２２には、画像ファイルおよび画像解析結果などのデータベースなどを保存するための２次記憶装置２８と、所定の情報をユーザーに通知するための表示部３０とが接続されている。さらに、ＣＰＵ２２には、マウスなどのポインティングデバイス３２およびキーボードなどの文字入力デバイス３４などのユーザーインターフェースが接続されている。こうしたユーザーインターフェースを介して、ユーザーからの指示が入力されることとなる。なお、表示部３０にタッチパネルの機能を備えることにより、表示部３０をユーザーインターフェースとして使用可能なようにしてもよい。
【００１６】
画像生成装置１０は、内部撮像デバイス３６を備えるようにしてもよく、内部撮像デバイス３６により撮影された画像データは、所定の画像処理を経た後に２次記憶装置２８に保存される。また、２次記憶装置２８に保存される画像データについては、Ｉ／Ｆ１２を介して接続された外部撮像デバイス３７から取得することができるようにしてもよい。さらに、２次記憶装置２８に保存される画像データを、無線ＬＡＮ１８により接続されたインターネットを介してサーバ２０から取得するようにしてもよい。そして、画像生成装置１０では、生成した画像データを含む記録データをＩ／Ｆ１４を介してインクジェット記録装置１６に出力することとなる。なお、インクジェット記録装置１６と画像生成装置１０とを無線ＬＡＮ１８で接続し、無線ＬＡＮ１８を介して画像データを出力するようにしてもよい。また、画像生成装置１０には、電波を発生させて、データ通信などを行うことが可能であって、ＮＦＣなどの近距離無線通信機能を備えた電波発生装置３８を備えている。
【００１７】
インクジェット記録装置１６は、画像生成装置１０から出力された記録データに基づいて、導電性インクを用いて所定の記録媒体に対してアンテナ画像を記録する。これにより、記録媒体において、通信デバイスの電波発生装置に対応する位置にアンテナが形成されることとなる。即ち、インクジェット記録装置１６は、画像生成装置１０の記録データ生成部４６（後述する。）で生成した記録データを受信し、画像データを各インク色データに変換して記録を行う。記録データは、画像データと記録設定パラメータ（後述する。）とを含んでいる。そして、インクジェット記録装置１６では、記録設定パラメータに含まれる記録媒体の種類に関する情報に基づいて、記録に必要な色空間変換や色材への色分解などを行って画像データを変換する。また、出力階調補正やハーフトーニングといった画像処理をルックアップテーブルなどの画像処理パラメータを用いて、画像データを印刷できるデータに変換する。なお、インクジェット記録装置１６は、アンテナ画像を導電性インクで記録するためのデータを受信し、アンテナ画像を導電性インクで記録可能であれば、これに限定されるものではない。
【００１８】
ここで、導電性インクは、銀あるいはカーボン粒子などを含有したインクであり、インクジェット記録装置１６から記録媒体上に吐出されると、記録媒体上で金属膜を生成し、導電性を発現するインクである。具体的には、導電性インクとして、例えば、メタリックインクを用いられ、このメタリックインクには金属粒子が含有されている。インク中の金属粒子の含有量（質量％）は、インク全質量に対して、０．１質量％以上、３０．０質量％以下であることが好ましく、１．０質量％以上、１５．０質量％以下であることがより好ましい。
【００１９】
金属粒子としては、特に限定はされないが、例えば、金、銀、銅、白金、アルミニウム、チタン、クロム、鉄、ニッケル、亜鉛、ジルコニウム、錫などの粒子とする。これらの金属粒子は、単体または合金でもよく、組み合わせて使用することも可能である。また、金属粒子は、金属粒子の保存安定性と、形成される画像（金属膜）の光沢性の観点から、金、銀、銅粒子を用いることが好ましく、銀粒子が特に好ましい。銀粒子は、形成される画像の高い光沢性と無彩色性のため、有色インクとの組み合わせにより幅広いメタリックカラーを表現することができる。銀粒子の平均粒径は、インクの保存安定性と銀粒子により形成される画像の光沢性の観点から、１ｎｍ以上、２００ｎｍ以下であることが好ましく、１０ｎｍ以上、１００ｎｍ以下であることがより好ましい。
【００２０】
また、メタリックインクでは、水（イオン交換水）のほか、界面活性剤、水溶性有機溶剤、ｐＨ調整剤、防錆剤、防腐剤、防黴剤、酸化防止剤、換言防止剤および蒸発促進剤などの種々の添加剤を含有してもよい。これにより、インクを記録媒体上に付与した際に、焼成などの特殊操作なしに導電性および光沢性を発現することができるようになる。
【００２１】
次に、図２を参照しながら、制御部２１の機能的構成について説明する。ここで、図２には、制御部２１の機能的構成を示すブロック図が示されている。制御部２１は、内部撮像デバイス３６を制御する撮像制御部などの各種公知の構成に加えて、記録媒体を重ね合わせる通信デバイスの情報を取得するデバイス情報取得部４０を備えている。また、インクジェット記録装置１６により画像が記録される記録媒体における通信デバイスの電波発生装置の位置情報を取得する位置情報取得部４２と、アンテナ画像を配置する画像配置部４４とを備えている。さらに、インクジェット記録装置１６により記録するための記録データ（記録媒体上の所定の位置にアンテナ画像を記録するための画像データを含む）を生成する記録データ生成部４６を備えている。
【００２２】
より詳細には、デバイス情報取得部４０（デバイス情報取得手段）は、図３（ａ）のように、少なくとも、通信デバイスの外形５０を表す外形情報と、基準点Ｐ0の位置情報と、電波発生装置３８の位置情報とを、デバイス情報として取得する。外形５０のサイズを表すサイズ情報を含むようにしてもよい。なお、電波発生装置３８の位置情報としては、例えば、電波発生装置３８が位置する領域であってもよいし、当該領域の中心であってもよい。基準点Ｐ0の位置情報および電波発生装置３８の位置情報は、外形５０の左上の角部の原点位置Ｏ0からの距離あるいは原点位置Ｏ0を原点とする座標値など、原点位置Ｏ0からの位置関係が明確になる情報となっている。
【００２３】
例えば、通信デバイスがスマートフォンの場合には、通常、スマートフォン内にデバイス情報が保存されている。従って、デバイス情報が保存された通信デバイスからデバイス情報を取得する場合には、Ｉ／Ｆや無線ＬＡＮなどを介して、画像生成装置１０と通信デバイスとを接続して、通信デバイス内に保存されたデバイス情報を画像生成装置１０で取得して保存することとなる。また、デバイス情報が保存されていない通信デバイスにも対応可能なように、下記のようにデバイス情報を取得するようにしてもよい。即ち、サーバ２０に各種通信デバイスのデバイス情報を記憶させておき、ネットワークを介して画像生成装置１０をサーバ２０に接続し、サーバ２０から該当する通信デバイスのデバイス情報を取得して保存する。
【００２４】
なお、画像生成装置１０がスマートフォンにより構成されている場合、画像形成装置１００では、画像生成装置１０に重ね合わせる記録媒体に対して記録する画像データを生成することもある。こうした場合には、画像生成装置１０の記憶部（不図示）にデバイス情報が記憶されているため、デバイス情報取得部４０は、当該記憶部からデバイス情報を取得することとなる。
【００２５】
デバイス情報としては、外形５０のサイズ情報として、例えば、縦１５ｃｍ、横８ｃｍを表す情報が取得される。また、基準点Ｐ0の位置情報として、例えば、外形５０の原点位置Ｏ0から縦１ｃｍ、横１ｃｍの位置を表す情報が取得される。さらに、電波発生装置３８の位置情報として、例えば、外形５０の原点位置Ｏ0から縦５ｃｍ、横４ｃｍの位置を表す情報が取得される。なお、取得されたデバイス情報については、画像生成装置１０に保存される。
【００２６】
位置情報取得部４２（位置情報取得手段）は、デバイス情報取得部４０で取得したデバイス情報と、通信デバイスに重ねられる記録媒体の情報（記録媒体情報）とに基づいて、通信デバイスに配置された電波発生装置の記録媒体における相対的な位置情報を取得する。即ち、この位置情報取得部４２では、通信デバイスに記録媒体が重ねられた際の、通信デバイスにおける電波発生装置３８と対向する記録媒体における対向位置５２を取得する。
【００２７】
なお、記録媒体情報については、画像生成装置１０における記憶部（不図示）に記憶されるようにしてもよいし、サーバ２０などの外部の装置に記憶されるようにしてもよい。そして、位置情報取得部４２では、記憶部や外部の装置から記録媒体情報を取得することとなる。即ち、位置情報取得部４２では、記録媒体情報を取得する記録媒体情報取得手段としての機能を備えている。記憶される記録媒体情報は、所定の記録媒体に関する記録媒体情報のみであってもよいし、複数の異なる記録媒体に関する記録媒体情報であってもよい。複数の記録媒体情報を記憶している場合には、ユーザーが任意に選択した記録媒体に関する記録媒体情報を取得することとなる。また、記録媒体情報をサーバ２０に記憶しておき、ネットワークを介して画像生成装置１０で取得するようにしてもよい。
【００２８】
記録媒体情報は、図３（ｂ）のように、少なくとも、記録媒体の外形５４を表す外形情報、記録媒体における記録領域５５を表す領域情報、記録領域５５のサイズを表すサイズ情報および記録基準点Ｐ1の位置情報を含む。外形５４のサイズ情報を含むようにしてもよい。なお、記録基準点Ｐ1は、図３（ｂ）のように、記録領域５５の外形上に位置しており、例えば、左上の角部に位置している。
【００２９】
記録媒体情報としては、外形５４のサイズ情報として、例えば、高さ１５ｃｍ、横８ｃｍを表す情報が記憶されているとする。また、記録基準点Ｐ1の情報として、例えば、外形５４の原点位置（左上）Ｏ1から縦１ｃｍ、横１ｃｍの位置を表す情報が記憶されているとする。この位置情報取得部４２では、デバイス情報に基づく画像（図３（ａ）参照）に記録媒体情報に基づく画像（図３（ｂ）参照）を重ね、記録媒体において電波発生装置３８と対向する対向位置５２を取得することとなる。なお、デバイス情報に基づく画像に記録媒体情報に基づく画像を重ねる際には、図６のように、記録領域５５が外形５０内に位置するとともに、基準点Ｐ0と記録基準点Ｐ1とが重なるようにする。
【００３０】
従って、デバイス情報と記録媒体情報とが上記した数値で表される情報であった場合には、位置情報取得部４２で取得される対向位置５２は、外形５４における原点位置Ｏ1から縦５ｃｍ、横４ｃｍの位置を表す情報となる。なお、記録領域５５の枠線は、外形５４の各辺から１ｃｍずつ内側に位置して形成されている。このため、記録領域５５は、高さ１３ｃｍ、横６ｃｍのサイズとなる。従って、記録領域５５のサイズ情報については、記録媒体情報に含まず、その他の情報から算出するようにしてもよい。そして、対向位置５２は、記録領域５５において、記録基準点Ｐ1から縦４ｃｍ、横３ｃｍの位置を表す情報となる。
【００３１】
また、この位置情報取得部４２では、記録媒体における対向位置５２を取得する際に、原点位置Ｏ0と原点位置Ｏ1とを重ね合わせるようしたが、これに限られるものではない。即ち、原点位置Ｏ1と記録基準点Ｐ1との相対的な位置関係が分かれば、どの位置を重ね合わせるようにしてもよい。
【００３２】
このように、位置情報取得部４２では、記録媒体と通信デバイスとを重ね合わせた際の位置関係から、通信デバイスにおける電波発生装置３８と対向する記録媒体における対向位置５２を取得することとなる。従って、記録媒体情報としては、少なくとも、通信デバイスとの相対的な位置関係を把握（取得）することが可能な情報が含まれるようにすればよい。
【００３３】
画像配置部４４（配置手段）は、予め記憶されているアンテナ画像を記録媒体情報に基づく画像上に配置する。アンテナ画像については、所定のアンテナ画像のみを記憶しておくようにしてもよいし、アンテナ形状の異なる複数のアンテナ画像を記憶しておくようにしてもよい。複数のアンテナ画像を記憶する場合には、ユーザーが複数のアンテナ画像の中から任意のアンテナ画像を選択することとなる。
【００３４】
また、アンテナ画像は、アンテナが導電性インクで形成されることを想定して、少なくとも、電波発生装置３８から発生する電波を受けて電流を発生することが可能なアンテナ形状となっている。即ち、アンテナ画像では、図４（ａ）のように、アンテナ５６として、電波発生装置３８から発生する電波を受信し、電流を発生するためのコイルの役割をするアンテナ部５８と、発生した電流が供給される部品を取り付けるための一対の端子６０とを備えている。なお、発生した電流が供給される部品としては、例えば、ＬＥＤランプなどの発光部材、スピーカなどの発音部材あるいはバイブレータなどの振動部材など、人に対して所定の情報を認知させることが可能な部材である。即ち、こうした部材は、人に対して電波発生装置からの電波の発信の有無を通知する通知部材として機能する。また、こうした部材は、記録媒体を通信デバイスに重ね合わせた際に、当該現象を人に認知され易い位置に設けられることとなる。アンテナ５６の形状としては、上記した形状に限定されるものではなく、電波を受信して電流に変えることが可能な形状であれば、どのような形状であってもよい。
【００３５】
画像配置部４４では、位置情報取得部４２で取得した記録媒体における対向位置５２に基づいて、記録媒体情報に基づく画像における外形５４（記録領域５５）内にアンテナ画像を配置する。これにより、記録領域５５における対向位置５２上にアンテナ画像が配置された画像が作成される。なお、アンテナ画像を外形５４内に配置する際には、例えば、図４（ｂ）のように、アンテナ５６の中央に形成された空間Ｓ内に、対向位置５２が位置するように配置される。
【００３６】
また、画像配置部４４では、配置するアンテナ画像の解像度に基づいて、記録領域５５のサイズ情報および記録領域５５における対向位置５２を画素数で表した情報に変換する。即ち、アンテナ画像の解像度を３００ｄｐｉとすると、１ｃｍが１１８ｐｉｘｅｌと換算される。従って、記録領域５５のサイズ情報は、縦１３ｃｍ、横６ｃｍであるため、縦１５３４ｐｉｘｅｌ、横７０８ｐｉｃｅｌとなる。また、記録領域５５における対向位置５２は、記録基準点Ｐ1から縦４ｃｍ、横３ｃｍの位置であるため、記録基準点Ｐ1から縦４７２ｐｉｘｃｌ、横３５４ｐｉｘｅｌの位置となる。本実施形態では、アンテナ画像は、外形の大きさが縦２ｃｍ（２３６ｐｉｘｅｌ）、横２ｃｍ（２３６ｐｉｘｅｌ）として予め記憶されている。
【００３７】
記録データ生成部４６は、記録領域５５にアンテナ５６の画像（アンテナ画像）が配置された画像データ、つまり、インクジェット記録装置１６により記録領域５５にアンテナ画像を記録するための画像データを生成する。そして、記録に必要な各種パラメータ（記録設定パラメータ）とともに、生成した画像データをインクジェット記録装置１６に出力する。なお、インクジェット記録装置１６では、入力された画像データに基づいて記録媒体に記録を行うこととなる。その際には、画像データのアンテナ部５８および端子６０については、導電性インクが用いられる。
【００３８】
即ち、記録データ生成部４６では、記録領域５５にアンテナ画像が配置された画像データとともに、記録設定パラメータを含む記録データを生成する。記録設定パラメータは、例えば、記録媒体の種類、記録媒体のサイズ、画像処理パラメータを示す情報である。なお、こうした記録設定パラメータについては、インクジェット記録装置１６に入力可能なパラメータであって、インクジェット記録装置１６が画像データに基づいて記録を実行できるパラメータであれば、これに限定されるものではない。また、画像データは、上記したように、記録領域５５にアンテナ画像が配置された画像を表すとともに、アンテナ５６のアンテナ部５８と端子６０とに相当する部分を導電性インクで記録（形成）する情報となっている。
【００３９】
例えば、画像データは、ＲＧＢの各色８ビットの画像データとし、Ｒ、Ｇ、Ｂの値が全て「０」である場合には、導電性インクを用いず、それ以外は、導電性インクを用いて記録されるデータとなる。あるいは、例えば、画像データは、ＲＧＢ＋αの各色８ビットの画像データとする。即ち、「ＲＧＢ」は、色インクで画像を形成するための画像データであり、「α」は、導電性インクで画像を形成するための画像データであり、これら２つの画像データが合成された画像データとなっている。なお、この画像データでは、αの値が「０」の場合には、導電性インクで記録せず、それ以外は、導電性インクを用いて記録される。また、画像データは、例えば、インクジェット記録装置１６の入力解像度に変換したデータであってもよい。具体的には、アンテナ画像を解像度３００ｄｐｉで作成し、インクジェット記録装置１６の入力解像度が６００ｄｐｉの場合には、解像度変換した画像を作成し、作成した画像を画像データとしてインクジェット記録装置１６に出力する。
【００４０】
なお、記録データ生成部４６で生成される記録データについては、インクジェット記録装置１６に入力可能なデータであって、アンテナ画像を導電性インクで記録可能なデータであれば、これに限定されるものではない。また、本実施形態では、画像配置部４４および記録データ生成部４６により、インクジェット記録装置１６でアンテナ画像を記録するための画像データを生成する生成手段を構成している。
【００４１】
以上の構成において、画像形成装置１００を用いて記録媒体に対してアンテナ５６を形成する場合について説明する。なお、以下の説明においては、スマートフォン利用者またはスマートフォンアクセサリ開発者が、スマートフォン用ケースなどの記録媒体に対して、アンテナ５６を形成する場合を一例として説明することとする。スマートフォン利用者などが、自身のスマートフォンを利用して、ケースに対してアンテナ５６を形成する場合には、画像生成装置１０の各機能を実行させるためのアプリケーションを当該スマートフォンにインストールしておく。
【００４２】
まず、画像生成装置１０により、インクジェット記録装置１６によってケースにアンテナを形成するための画像データを含む記録データを生成する。画像生成装置１０において、ユーザーにより記録データの生成が指示されると、記録データを生成する第１の生成処理（第１の画像処理）が開始される。なお、ユーザーによる記録データの生成の指示としては、例えば、画像生成装置１０にインストールされたアプリケーションを介して当該指示が入力される。
【００４３】
ここで、図５のフローチャートには、この画像生成装置１０によって、記録媒体（ケース）に対してアンテナ画像を記録するための記録データを生成する第１の生成処理の処理ルーチンが示されている。この第１の生成処理では、まず、アンテナ５６が形成されるケースが装着される通信デバイス（スマートフォン）のデバイス情報を取得する（ステップＳ５０２）。即ち、ステップＳ５０２では、デバイス情報取得部４０において、スマートフォンのデバイス情報を取得することとなる。なお、この処理では、ケースに装着されるスマートフォンから直接デバイス情報を読み取る場合には、事前にＩ／Ｆ１２などを介して当該スマートフォンと接続されている。
【００４４】
次に、記録媒体においてアンテナ５６を形成する位置情報を取得する（ステップＳ５０４）。即ち、ステップＳ５０４では、位置情報取得部４２により、記録媒体情報を取得し、当該記録媒体情報とステップＳ５０２で取得したデバイス情報とに基づいて、ケースが装着されるスマートフォンの電波発生装置と対向するケースの対向位置５２を取得する。その後、取得した位置情報（対向位置５２）および記録媒体情報の記録領域５５のサイズ情報について、アンテナ画像の解像度に応じて変換する（ステップＳ５０６）。即ち、ステップＳ５０６では、画像配置部４４において、記憶されているアンテナ画像の解像度に基づいて、記録領域５５における対向位置５２および記録領域５５のサイズ情報について、当該解像度に応じた情報に変換する。
【００４５】
そして、アンテナ画像を取得し（ステップＳ５０８）、取得したアンテナ画像を、記録媒体情報に基づく画像における対向位置５２に配置する（ステップＳ５１０）。即ち、ステップＳ５０８では、画像配置部４４において、予め記憶されているアンテナ画像を取得する。また、ステップＳ５１０では、画像配置部４４において、記録媒体情報に基づく画像の記録領域５５内に、アンテナ部５８の中央の空間Ｓ内に対向位置５２が位置するように、アンテナ画像を配置する。
【００４６】
次に、ステップＳ５１０で作成した情報に基づいて、インクジェット記録装置１６でアンテナ画像を記録するための画像データを生成する（ステップＳ５１２）。即ち、ステップＳ５１２では、記録領域５５の対向位置５２にアンテナ画像が配置された画像をインクジェット記録装置１６で記録するための画像データを生成することとなる。その後、生成した画像データとともに、記録設定パラメータを記録データとしてインクジェット記録装置１６に入力し（ステップＳ５１４）、第１の生成処理を終了する。
【００４７】
こうして、インクジェット記録装置１６に記録データが出力され、ユーザーが、インクジェット記録装置１６にケースを載置した後に、記録の開始を指示すると、記録データに基づいて、ケースの所定の位置にアンテナ画像が記録される。これにより、ケースの所定の位置にアンテナ５６が形成されることとなる。なお、アンテナ５６は、例えば、ケースにおいて、通信デバイスに装着された際に通信デバイスと当接（近接）する平面に形成されることとなる。また、アンテナが形成される平面には、導電性インクを定着させることができる受容層が設けられている。
【００４８】
アンテナ５６が形成されたケースは、アンテナ５６の端子６０に、例えば、ＬＥＤランプが接続され、通信デバイスに装着される。なお、接続されたＬＥＤランプについては、ケースが通信デバイスに装着された際に、ユーザーが視認可能な位置に配置される。また、記録媒体として、シートを用いた場合には、通信デバイスに重ねられる際に、必要に応じて、例えば、切り取られる（または、折り曲げられる）こととなる。
【００４９】
以上において説明したように、画像生成装置１０では、デバイス情報と記録媒体情報とに基づいて、通信デバイスと記録媒体とが重ね合わされたときに、通信デバイスの電波発生装置と対向する記録媒体の対向位置５２を取得するようにした。そして、この対向位置５２にアンテナ画像を配置した記録媒体情報に基づく画像から、インクジェット記録装置１６でアンテナ画像を記録するための画像データを生成するようにした。
【００５０】
ここで、図１１（ａ）のように、電波発生装置３８がアンテナ５６の中央に位置する場合には、図１１（ｂ）のように、電波発生装置３８がアンテナ５６の中央位置からずれている場合にと比較して、アンテナ５６を貫く磁束が多くなる。このため、電波発生装置３８と対向する対向位置５２がアンテナ５６の中央に位置することによって、より大きな誘導起電力を発生させることができるようになる。つまり、対向位置５２がアンテナ５６の中央に位置する場合は、アンテナ５６が電磁誘導により適した位置に形成されていることとなる。従って、画像生成装置１０では、電磁誘導に適した位置にアンテナ画像を記録するための画像データが生成されることとなる。
【００５１】
また、画像生成装置１０では、ユーザーは、簡単な操作を行うだけで、記録領域５５における対向位置５２にアンテナ画像が配置された画像データを生成でき、アンテナ画像を記録するための画像データを容易に取得することができる。このため、画像データを生成する作業において、ユーザーの負担が軽減されることとなる。
【００５２】
ここで、スマートフォンおよびタブレットＰＣなどの携帯端末には、近距離無線技術であるＮＦＣが搭載されている。ＮＦＣなどの近距離無線通信装置は、所定の範囲で電波を発生しており、近距離無線通信装置に対応した機器に近づけることで通信を行うことができる。なお、近距離無線通信装置については、実際に通信を行うことによって、ユーザーはその起動を認識することができる。従って、通信ができないときには、近距離無線通信装置が起動していないのか、あるいは、近距離無線通信装置を利用するアプリケーションが動作していないのかが判断できない。
【００５３】
画像生成装置１０により生成された画像データに基づいて、インクジェット記録装置１６により記録媒体にアンテナ５６を形成し、アンテナ５６にＬＥＤランプを接続することで、近距離無線通信装置の起動を検知する検知手段を形成することができる。
【００５４】
即ち、この検知手段では、近距離無線通信装置が起動されていれば、近距離無線通信装置から電波が発生されるため、アンテナ５６に誘導起電力が発生し、ＬＥＤランプが点灯する。また、近距離無線通信装置が起動されていなければ、近距離無線通信装置から電波が発生されないため、アンテナに誘導起電力が発生せず、ＬＥＤランプが点灯しない。このため、ユーザーはＬＥＤランプの点灯、消灯を確認することで、近距離無線通信装置の起動を認識することができる。
【００５５】
従って、ユーザーは、近距離無線通信装置が利用できない場合、ＬＥＤランプが点灯しているときには、近距離無線通信装置を利用するためのアプリケーションが動作していないと判断できる。また、ＬＥＤランプが消灯しているときには、近距離無線通信装置が起動していないと判断できる。
【００５６】
（第２の実施の形態）
次に、図７乃至図１０を参照しながら、本発明による画像生成装置の第２の実施の形態について説明する。なお、以下の説明においては、画像生成装置１０と同様にして、画像形成装置を例として第２の実施の形態による画像生成装置について説明する。従って、上記した画像形成装置１００と同一または相当する構成については、同一の符号を用いることにより、その詳細な説明は適宜に省略する。
【００５７】
この第２の実施の形態による画像生成装置（画像処理装置）７０は、インクジェット記録装置１６と接続され、インクジェット記録装置１６により記録媒体上にアンテナ画像および装飾用の画像を形成する画像形成装置１１０を構成している。そして、この画像生成装置７０では、記録媒体上にアンテナ画像を記録するため（アンテナ５６を形成するため）の第１の画像データと、記録媒体上に装飾用の画像（以下、「装飾画像」と称する。）を記録するための第２の画像データとを生成するようにした。
【００５８】
即ち、画像生成装置７０は、以下の点において、上記した画像生成装置１０と異なっている。具体的には、図７のように、制御部２１に設けられた配置位置情報取得部６２において、アンテナ５６で発生した誘導起電力を利用して発光するＬＥＤランプを配置する位置を取得するようにした。また、画像配置部６４において、配置位置情報取得部６２で取得した位置においてＬＥＤランプに通電可能なように、アンテナ画像におけるアンテナの形状を変更するようにした。さらに、記録データ生成部６６において、記録媒体に対してアンテナ画像を記録するための第１の画像データと、記録媒体に対してユーザーが選択した装飾画像を記録するための第２の画像データとを生成するようにした。
【００５９】
より詳細には、配置位置情報取得部６２（配置位置情報取得手段）は、ユーザーからの入力に基づいてＬＥＤランプの配置位置を取得する。具体的には、例えば、表示部３０に記録媒体においてＬＥＤランプを配置可能な領域を表示するとともに、ユーザーインターフェースを介してユーザーによって入力された当該領域における入力位置に基づいて、ＬＥＤランプの配置位置が取得される。ＬＥＤランプを配置可能な領域については、例えば、位置情報取得部４２で取得した記録媒体における対向位置５２に基づいて決定される。
【００６０】
即ち、表示部３０に表示される記録媒体では、記録領域５５内の領域において、対向位置５２を含む所定の領域が選択不可能な領域とされ、それ以外の領域が選択可能な領域とされる。そして、ユーザーによりポインティングデバイス３２などを介して、選択可能な領域から任意の位置が選択されることとなる。その後、選択された位置をＬＥＤランプの配置位置として記憶する。
【００６１】
なお、ユーザーが選択する位置としては、例えば、ユーザーが選択した装飾画像の所定の位置と対応する位置とする。即ち、ＬＥＤランプの配置位置と、装飾画像の所定の位置とが、互いに対応した位置関係となっている。これにより、アンテナ５６が形成された記録媒体の上に、さらに、装飾画像が記録された記録媒体を重ねることで、所定の位置にＬＥＤランプが位置することとなる。これにより、ＬＥＤランプが点灯した際に、当該所定の位置を光らせることができる。
【００６２】
また、画像配置部６４（配置手段）は、予め記憶されているアンテナ画像を記録媒体情報に基づく画像内に配置する。このとき、画像配置部６４は、配置位置情報取得部６２で取得された配置位置に基づいてＬＥＤランプを配置することが可能なアンテナ画像を取得することとなる。なお、アンテナ画像については、少なくとも、電波発生装置３８から発生する電波を受けて電流を発生することが可能なアンテナ形状を表すデータとなっている。こうしたアンテナ画像として、例えば、基準となるアンテナ画像（図４（ａ）参照）とともに、例えば、数ｍｍ単位で端子６０の位置が異なる複数種類のアンテナ画像のテンプレートを予め記憶しておく。そして、取得されたＬＥＤランプの配置位置と、対向位置５２との関係から、テンプレートの中のアンテナ画像が選択される。そして、選択されたアンテナ画像は、記録媒体情報に基づく画像における外形５４（記録領域５５）内に配置される。このとき、対向位置５２はアンテナ５６の空間Ｓ内に位置することとなる。
【００６３】
なお、ＬＥＤランプの配置位置に端子６０が位置するようなアンテナ画像を取得可能であれば、上記した方法に限定されるものではない。具体的には、例えば、基準となるアンテナ画像を、拡大、縮小、回転、あるいは、ＬＥＤランプの配置位置までアンテナ部５８の一部を延ばしてアンテナ形状を変形するようにしてもよい。具体的には、画像配置部４４では、例えば、図８（ａ）のように、対向位置５２の近傍の左下にＬＥＤランプ配置位置ｐ1があるとすると、図８（ｂ）のように、図４（ａ）の基準となるアンテナ画像を、１８０度回転したアンテナ画像を取得する。また、例えば、図８（ｃ）のように、対向位置５２の近傍の左上にＬＥＤランプ配置位置ｐ1があるとすると、図８（ｄ）のように、基準となるアンテナ画像を、反時計回りに９０度回転したアンテナ画像を取得する。さらに、例えば、図８（ｅ）のように、対向位置５２の下方側の離れた位置にＬＥＤランプ配置位置ｐ1があるとすると、図８（ｆ）のように、基準となるアンテナ画像を１８０度回転し、アンテナ部５８の一部を延ばしたアンテナ画像を取得する。即ち、このアンテナ画像では、アンテナ部５８と端子６０とが回路により接続された状態となっている。
【００６４】
また、画像配置部６４は、予め記憶されている装飾画像を記録媒体情報に基づく画像内に配置する。このとき、装飾画像については、光らせたい位置（所定の位置）がＬＥＤランプの配置位置と重なるように配置される。なお、装飾画像を配置する際に、例えば、光らせたい位置とＬＥＤランプの配置位置とが重なるように、記録領域５５内において装飾画像を拡大、縮小あるいは切り取りなどを行うようにしてもよい。また、画像配置部６４では、画像配置部４４と同様にして、配置するアンテナ画像の解像度に基づいて、記録領域５５のサイズ情報および記録領域５５における対向位置５２を画素数で表した情報に変換する。
【００６５】
記録データ生成部６６は、記録媒体にアンテナ５６を形成するための第１の画像データと、記録媒体に装飾画像を記録するための第２の画像データを生成する。具体的には、第１の画像データとして、図９（ｂ）のように、記録領域５５にアンテナ画像が配置されたＲＧＢ画像データが生成される。また、第２の画像データとして、図９（ａ）のように、記録領域５５に装飾画像が配置されたＲＧＢ画像データが生成される。そして、第１の画像データには、ＲＧＢ画像データを導電性インクで記録するための属性情報が関連付けられる。また、第２の画像データには、ＲＧＢ画像データを色インクで記録するための属性情報が関連付けられる。そして、こうした属性情報が関連付けられた第１の画像データおよび第２の画像データとともに、記録設定パラメータが記録データとしてインクジェット記録装置１６に出力される。なお、本実施形態では、配置位置情報取得部６２、画像配置部６４および記録データ生成部６６により、インクジェット記録装置１６でアンテナ画像を記録するための画像データを生成する生成手段を構成している。
【００６６】
以上の構成において、画像形成装置１１０を用いて異なる記録媒体に対してアンテナ画像と装飾画像とを記録する場合について説明する。なお、以下の説明においては、スマートフォン用ケースたる第１の記録媒体にアンテナ５６を形成するとともに、当該ケースに貼り付けることが可能なシートたる第２の記録媒体に装飾画像を記録する場合について説明する。
【００６７】
まず、画像生成装置７０により、インクジェット記録装置１６によりケースにアンテナを形成するための第１の画像データおよびシートに装飾画像を記録するための第２の画像データを含む記録データを生成する。画像生成装置７０において、ユーザーにより記録データの生成が指示されると、記録データを生成する第２の生成処理（第２の画像処理）が開始される。ここで、図１０のフローチャートには、この画像生成装置７０を用いて、ケースおよびシートに対して画像を記録するための記録データを生成する第２の生成処理の詳細な処理ルーチンが示されている。
【００６８】
この第２の生成処理では、まず、アンテナ５６が形成されるケースが装着される通信デバイス（スマートフォン）のデバイス情報を取得する（ステップＳ１００２）。次に、記録媒体においてアンテナ５６を形成する位置情報を取得する（ステップＳ１００４）。その後、取得した位置情報および記録媒体情報の記録領域５５のサイズ情報について、アンテナ画像の解像度に応じて変換する（ステップＳ１００６）。なお、ステップＳ１００２、Ｓ１００４、Ｓ１００６の具体的な処理内容は、それぞれ上記したステップＳ５０２、Ｓ５０４、Ｓ５０６の処理と同様であるため、その詳細な説明は省略する。
【００６９】
次に、記録媒体において、ＬＥＤランプの配置位置を取得する（ステップＳ１００８）。即ち、ステップＳ１００８では、ユーザーからの入力に基づいて、配置位置情報取得部６２により、記録領域５５内におけるＬＥＤランプの配置位置が取得される。そして、取得されたＬＥＤランプの配置位置に基づいてアンテナ画像を取得する（ステップＳ１０１０）。即ち、ステップＳ１０１０では、画像配置部４４により、取得されたＬＥＤランプの配置位置に端子６０が位置するアンテナ画像が取得される。
【００７０】
その後、記録領域５５にアンテナ画像を配置するとともに、記録領域５５に装飾画像を配置する（ステップＳ１０１２）。即ち、ステップＳ１０１２では、取得したアンテナ画像を、記録媒体情報に基づく画像における対向位置５２に配置する。また、予め選択されている装飾画像を、記録媒体情報に基づく画像における記録領域５５に配置する。このとき、ＬＥＤランプの配置位置と、装飾画像における所定の位置（点灯させたい位置）とは一致している。これにより、アンテナ画像が配置された記録媒体情報に基づく画像と、装飾画像が配置された記録媒体情報に基づく画像とが作成される。なお、装飾画像の選択については、この第２の生成処理が開始される際に、ユーザーによって選択されるようにしてもよいし、このステップＳ１０１２において、ユーザーによって選択されるようにしてもよい。
【００７１】
そして、ステップＳ１０１２で作成した情報に基づいて、インクジェット記録装置１６でアンテナ画像および装飾画像を記録するための画像データを生成する（ステップＳ１０１４）。即ち、ステップＳ１０１４では、アンテナ画像が配置された記録媒体情報に基づく画像に基づいて、記録領域５５にアンテナ画像が配置された第１の画像データを生成する。さらに、装飾画像が配置された記録媒体情報に基づく画像に基づいて、記録領域５５に装飾画像が配置された第２の画像データを生成する。その後、生成した２つの画像データとともに、記録設定パラメータを記録データとしてインクジェット記録装置１６に出力し、第２の生成処理を終了する。
【００７２】
こうして、インクジェット記録装置１６に記録データが出力され、ユーザーが、インクジェット記録装置１６にケースを載置し、アンテナ５６の形成を指示すると、記録データ（第１の画像データ）に基づいてケースにアンテナ画像が記録される。なお、アンテナ画像が記録される際には、第１の画像データに関連付けられた属性情報に基づいて導電性インクにより記録される。また、ユーザーがインクジェット記録装置１６にシートを載置し、装飾画像の記録を指示すると、記録データ（第２の画像データ）に基づいてシートに装飾画像が記録される。なお、装飾画像が記録される際には、第２の画像データに関連付けられた属性情報に基づいて色インクにより記録される。
【００７３】
アンテナ５６が形成されたケースは、アンテナ５６の端子６０にＬＥＤランプが接続され、通信デバイスに装着される。このとき、接続されたＬＥＤランプについては、ケースが通信デバイスに装着された際に、ユーザーが視認可能な位置に配置される。その後、装飾画像が記録されたシートが、ＬＥＤランプが露出しているケース上に貼り付けられる。このとき、シートにおいては、ＬＥＤランプ上に点灯させたい位置が位置している。
【００７４】
ここで、上記した画像形成装置１００では、画像生成装置１０によって、インクジェット記録装置１６でアンテナ５６を形成するための画像データが生成される。このため、当該画像データに基づいて作成された記録媒体を通信デバイスに重ね合わせた際には、端子６０に接続されたＬＥＤランプが記録媒体上に露出した状態となる。一方、画像形成装置１１０では、画像生成装置７０によって、インクジェット記録装置１６でアンテナ５６を形成するための第１の画像データと、装飾画像を記録するための第２の画像データとが生成される。このため、第１の画像データに基づいて作成した第１の記録媒体を通信デバイスに重ねた後に、さらに、第２の画像データに基づいて作成した第２の記録媒体を第１の記録媒体に重ねることで、通信デバイスが装飾画像によって装飾される。つまり、ＬＥＤランプが、装飾画像が記録された第２の記録媒体で覆われ、ＬＥＤランプが露出していない状態となる。これにより、ＬＥＤランプが露出している場合と比較して、通信デバイスの見栄えを向上することができる。また、ＬＥＤランプ上に、装飾画像の点灯させたい位置があるため、ＬＥＤランプが点灯する際には、当該位置が光って視認されることとなり、通信デバイスの見栄えをより向上することができる。
【００７５】
以上において説明したように、画像生成装置７０では、デバイス情報と記録媒体情報とに基づいて、通信デバイスと記録媒体とが重ね合わされたときに、通信デバイスの電波発生装置と対向する記録媒体の対向位置５２を取得するようにした。また、ＬＥＤランプの配置位置を取得して、当該配置位置と対向位置５２とに基づいて、ＬＥＤランプを点灯可能なアンテナ画像を取得するようにした。そして、取得したアンテナ画像が対向位置５２に配置された記録媒体情報に基づく画像から、インクジェット記録装置１６でアンテナ画像を記録するための第１の画像データを生成するようにした。また、装飾画像と記録媒体情報とに基づいて、装飾画像が配置された記録媒体情報に基づく画像を作成し、当該画像から、インクジェット記録装置１６で装飾画像を記録するための第２の画像データを生成するようにした。
【００７６】
これにより、電波発生装置で発生した電波によるより多くの磁束がアンテナ５６を貫くこととなり、アンテナ５６が電磁誘導により適した位置に形成されることとなる。従って、画像生成装置７０では、電磁誘導に適した位置にアンテナ画像を記録するための画像データが生成されることとなる。
【００７７】
また、ユーザーは、簡単な操作を行うだけで、記録領域５５における対向位置５２にアンテナ画像が配置された第１の画像データを取得でき、アンテナ画像を記録するための画像データを容易に取得することができる。このため、画像データを生成する作業において、ユーザーの負担が軽減されることとなる。また、ユーザーは、簡単な操作を行うだけで、記録領域５５におけるＬＥＤランプの配置位置に、光らせたい位置が位置するように装飾画像が配置された第２の画像データを取得でき、装飾画像を記録するための画像データを容易に取得することができる。このため、第１の画像データにより作成された第１の記録媒体上に、第２の画像データにより作成された第２の記録媒体を重ね合わせることで、装飾画像の光らせたい位置に、ＬＥＤランプを位置させることができる。これにより、第１の記録媒体が重ね合わされる通信デバイスを装飾ができるようになり、通信デバイスの見栄えを向上することができる。
【００７８】
（その他の実施の形態）
なお、上記した実施の形態は、以下の（１）乃至（１０）に示すように変形するようにしてもよい。
【００７９】
（１）本発明の目的は、以下によっても達成することができる。即ち、上記した画像生成装置１０（７０）の機能を実現するためのプログラムを、コンピュータ読み取り可能な記憶媒体（または記録媒体）に記憶（記録）する。そして、当該記憶媒体をシステムあるいは装置に供給し、このシステムあるいは装置のコンピュータ（またはＣＰＵ、ＭＰＵ）が記憶媒体に格納されたプログラムを読み出して実行する構成とする。
【００８０】
この場合、記憶媒体から読み出されたプログラム自体が上記した機能（図２、７参照）を実現することとなり、そのプログラムを記憶した記憶媒体が本発明を構成することになる。また、コンピュータが読み出したプログラムを実行することにより、画像生成装置１０（７０）の機能が実現されるだけではない。例えば、そのプログラムの指示に基づき、コンピュータ上で稼動しているオペレーティングシステム（ＯＳ）などが実際の処理の一部または全部を行い、その処理によって画像生成装置１０（７０）の機能が実現される場合も含まれる。
【００８１】
さらに、記憶媒体から読み出されたプログラムを、コンピュータに挿入された機能拡張カードあるいはコンピュータに接続された機能拡張ユニットに備わるメモリに書き込む。そして、該プログラムの指示に基づき、その機能拡張カードあるいは機能拡張ユニットに備わるＣＰＵなどが実際の処理の一部または全部を行い、その処理によって画像生成装置１０（７０）の機能が実現される場合も含まれる。
【００８２】
（２）上記した実施の形態では、アンテナが形成された記録媒体を重ね合わされる通信デバイスとして、ＮＦＣを利用したスマートフォンを一例として説明しているが、これに限定されるものではない。即ち、ＮＦＣが搭載されている種々の通信デバイスに対して、画像生成装置１０（７０）によりアンテナ画像が形成された画像データを生成するようにしてもよい。また、電波発生装置として近距離無線通信の国際規格（ＩＳＯ／ＩＥＣ  １８０９２）であるＮＦＣを用いるようにしたが、アンテナ５６において電磁誘導により誘導起電力を生じることができれば、これに限定されるものではない。例えば、金属接点やコネクタを介さずに電力を伝送する非接触電力伝送技術において、充電などに用いられるＱｉ規格による装置であってもよい。なお、Ｑｉ規格は、ワイヤレス給電技術に関する業界団体ＷＰＣ（Ｗｉｒｅｌｅｓｓ  Ｐｏｗｅｒ  Ｃｏｎｓｏｒｔｉｕｍ）が策定したワイヤレス給電の国際標準規格である。
【００８３】
（３）上記した実施の形態においては、特に記載しなかったが、対向位置５２やＬＥＤランプの配置位置によっては、記録領域５５においてアンテナ画像を、その空間Ｓに対向位置５２が位置するように配置できない場合がある。空間Ｓから対向位置５２がずれたアンテナ５６（図１１（ｂ）参照）では、空間Ｓの中央に対向位置５２が位置するアンテナ５６（図１１（ａ）参照）と比較して、アンテナ５６を貫く磁束が少なく、十分な誘導起電力を発生させることができない。
【００８４】
このため、画像配置部４４では、少ない磁束でもＬＥＤランプを点灯するのに十分な誘導起電力を発生することが可能なアンテナ画像、つまり、より大きな誘導起電力を発生するアンテナ画像を取得可能なようにしてもよい。具体的には、基準となるアンテナ画像とともに、より大きな誘導起電力を発生するアンテナ画像のテンプレートを予め記憶しておく。そして、対向位置５２やＬＥＤランプの配置位置に応じて、テンプレートの中からアンテナ画像が選択されることとなる。
【００８５】
即ち、この場合には、アンテナ画像を配置した後に、画像配置部４４（６４）においてアンテナ画像が記録領域５５から外れているか否か判断する。そして、アンテナ画像が記録領域５５から外れていると判断されると、より大きな誘導起電力を発生するアンテナ画像を選択して配置する。具体的には、ステップＳ５１０やステップＳ１０１２では基準となるアンテナ画像が配置される。その後に、アンテナ画像の少なくとも一部が記録領域５５から外れているか否かを判断する。そして、この判断処理で、アンテナ画像が記録領域５５から外れていない、つまり、アンテナ画像が記録領域５５内に位置すると判断されると、画像データの生成処理に進む。また、アンテナ画像の少なくとも一部が記録領域５５から外れている、つまり、アンテナ画像の少なくとも一部が記録領域５５からはみ出していると判断されると、より大きな誘導起電力を発生するアンテナ画像を選択する。そして、選択したアンテナ画像を、記録領域内（記録領域５５内）に位置するように配置して、画像データの生成処理に進む。
【００８６】
なお、選択したアンテナ画像を記録領域内に配置する際には、例えば、空間Ｓの中心（選択したアンテナ画像の中心位置）と対向位置５２とが所定の距離以下となるように配置される。また、より大きな誘導起電力を発生するアンテナ画像の選択については、表示部３０に表示されたアンテナ画像からユーザーが選択するようにしてもよい。あるいは、例えば、記録領域５５からのアンテナ画像がはみ出した量から、対向位置５２の空間Ｓの中心からのずれ量を想定し、想定したずれ量に応じてより大きな誘導起電力を発生するアンテナ画像を選択するようにしてもよい。
【００８７】
より大きな誘導起電力を発生するアンテナ画像とは、例えば、基準となるアンテナ画像と比較して、巻き数が多いアンテナ画像（図１２（ａ）参照）またはサイズが大きいアンテナ画像（図１２（ｂ）参照）となる。
【００８８】
即ち、公知の技術であるフェデラーの電磁誘導の法則では、Ｎ巻きのコイル（アンテナ５６に相当する。）を貫く磁束が、Δｔ（ｓ）間にΔΦ（Ｗｂ）だけ変化するとき、コイルに発生する誘導起電力Ｖ（Ｖ）は、次式によって表される。
Ｖ＝−Ｎ・ΔΦ／Δｔ  ・・・  （１）
なお、ΔΦ／Δｔは、磁束Φの変化がどれだけ急であるかを示す量である。
【００８９】
上記（１）式から、Δｔが固定の場合には、ΔΦの影響がそのまま誘導起電力Ｖに影響を与えることが分かる。また、上記（１）式より、空間Ｓから対向位置５２がずれたアンテナでは、アンテナ５６（コイルに相当する。）を貫く磁束が少なくなることで、誘導起電力が小さくなることが分かる。一方、誘導起電力（Ｖ）を大きくするには、アンテナ５６の巻き数（Ｎ）を多くすればよいことが分かる。従って、より大きな誘導起電力を発生するアンテナ画像は、図１２（ａ）のように、アンテナ部５８の巻き数が多いアンテナ画像となる。なお、具体的な巻き数については、実験的に決定される。そして、テンプレートに、巻き数の異なる複数のアンテナ画像を記憶し、対向位置５２の空間Ｓの中心からのずれ量などに応じて、所定のアンテナ画像が選択されることとなる。
【００９０】
また、自己インダクタンスＬと誘導起電力Ｖとの関係については、次式によって表される。
Ｖ＝−Ｌ・ΔＩ／Δｔ  ・・・  （２）
なお、ΔＩ／Δｔは、電流Ｉが時間変化する際の磁場を示す量である。
【００９１】
上記（２）式は、磁場がインダクタンスに起電力を誘導する式となっており、自己誘導による誘導起電力Ｖの大きさは自己インダクタンスＬに比例していることから、Ｌを大きくすることで、誘導起電力が大きくなることが分かる。また、単層ソレノイドの自己インダクタンスＬの計算式は、次式によって表される。
Ｌ＝ｋ・μ0・π・ａ2・ｎ2／ｂ  ・・・  （３）
ｋ：長岡係数
μ0：透磁率
π：円周率
ａ：コイルの半径
ｎ：コイルの枚数
ｂ：コイルの長さ
【００９２】
上記（３）式より、コイルの半径（例えば、空間Ｓの中心からアンテナ部５８の一辺までの最短の長さに相当する。）が大きいほど、自己インダクタンスＬは大きくなることが分かる。従って、より大きな誘導起電力を発生するアンテナ画像は、図１２（ｂ）のように、サイズの大きいアンテナ画像となる。なお、具体的なサイズについては、実験的に決定される。そして、サイズの異なる複数のアンテナ画像のテンプレートを記憶し、対向位置５２の空間Ｓの中心からのずれ量などに応じて、所定のアンテナ画像が選択されることとなる。
【００９３】
なお、上記した第２の実施の形態では、アンテナ画像を変形する際の変形方法の一例として、基準となるアンテナ画像を縮小することが記載されているが、この場合には、上記（２）式および（３）式により、一定量の誘導起電力が発生するように縮小される。
【００９４】
（４）上記した第２の実施の形態は、アンテナ画像を記録するための画像データ（第１の画像データ）と、装飾画像を記録するための画像データ（第２の画像データ）とを生成するようにしたが、これに限られるものではない。即ち、１つの記録媒体に対してアンテナ画像と装飾画像とを記録するための画像データを生成するようにしてもよい。例えば、記録領域５５に装飾画像とアンテナ画像とを横方向または縦方向に並べて配置する。具体的には、図１３（ａ）のように、記録領域５５の左半分に装飾画像を配置し、右半分にアンテナ画像を配置する。または、図１３（ｂ）のように、記録領域５５の上半分にアンテナ画像を配置し、下半分に装飾画像を配置する。なお、装飾画像とアンテナ画像との配置位置は逆としてもよい。
【００９５】
こうした画像データに基づいてインクジェット記録装置１６により記録された記録媒体を通信デバイスに重ね合わせる際には、中央の折り曲げ線において折り曲げられ、アンテナ画像と装飾画像とが重ね合わされる。このため、画像データでは、中央線で折り曲げられて重ねられた際に、装飾画像の所定の位置とアンテナ画像の端子６０の位置（ＬＥＤランプの配置位置）と重なり合うように、互いに対応した位置関係となっている。
【００９６】
（５）上記した実施の形態においては、特に記載しなかったが、画像生成装置１０（７０）において、例えば、ユーザーが操作する際に表示部３０に、図１４のような操作画面が表示される。具体的には、操作画面８０には、通信デバイスの種類あるいは機種を選択可能なリストが表示される機種表示部８２が設けられている。また、操作画面８０には、アンテナ画像や装飾画像を選択可能なリストが表示される選択画像表示部８４が設けられている。さらに、操作画面８０には、選択画像表示部８４に表示されたリストから選択された画像などを表示可能な画像表示部８６が設けられている。そして、ユーザーインターフェースを介してユーザーが画像表示部８６に表示された画像の所定の位置を指定することで、ＬＥＤランプを光らせたい位置を指定することができる。さらにまた、操作画面８０には、生成処理を実行して画像データの生成するための実行ボタン８８が設けられている。このようにして操作画面８０を構成することでユーザーは容易に操作することができる。なお、上記した実施の形態でも記載したが、画像生成装置１０（７０）の機能（上記操作画面も含む）を実現可能な画像処理アプリケーションを生成し、こうしたアプリケーションをスマートフォンにインストールすることで、画像データの生成が可能となる。
【００９７】
（６）上記した実施の形態においては、特に記載しなかったが、記録領域５５にアンテナ画像を配置できない、対向位置５２にアンテナ画像を配置できないなどの場合には、その旨を表示部３０に表示するようにしてもよい。あるいは、ＬＥＤランプを点灯させることができない旨を表示部３０に表示するようにしてもよい。また、上記した実施の形態においては、対向位置５２に応じて、記憶されているアンテナ画像を自動的に配置するようにしたが、これに限られるものではない。即ち、表示部３０に記録媒体情報に基づく画像を表示するとともに、対向位置５２およびアンテナ画像などを表示して、ユーザーがユーザーインターフェースを介して記録領域５５内にアンテナ画像を配置するようにしてもよい。
【００９８】
（７）上記した実施の形態においては、記録媒体に対してインクジェット記録装置１６により導電性インクでアンテナ画像を記録するようにしたが、これに限られるものではない。即ち、画像生成装置１０（７０）が接続されたインクジェット装置では、色インクによってアンテナ画像を記録するようにし、他のインクジェット記録装置によってアンテナ画像上に導電性インクを吐出してアンテナを形成するようにしてもよい。あるいは、ユーザーが導電性インクを排出するペンなどを用いて、アンテナ画像に沿って描画するようにしてもよい。さらに、上記した実施の形態においては、画像生成装置１０（７０）で生成した記録データに基づいて、インクジェット記録装置１６により導電性インクを用いてアンテナ画像を記録するようにしたが、これに限られるものではない。即ち、導電性インクを用いて記録媒体に対して電磁誘導により誘導起電力を発生させることが可能なアンテナを形成することが可能であれば、どのような記録装置を用いてもよい。
【００９９】
（８）上記した実施の形態においては、記録媒体としてスマートフォン用のケースを三次元造形装置で作製する際に、画像生成装置１０（７０）で生成した画像データに基づいて、三次元造形装置によってアンテナ５６を形成するようにしてもよい。なお、三次元造形装置で作製するケースは厚みをもたせることができるため、アンテナ５６を厚み方向に延在するように巻き回された形状としてもよい。また、アンテナ画像を、矩形形状としたが、円形上としてもよいし、多角形状としてもよく、対向位置５２が空間Ｓ内に位置するときに、電磁誘導により誘導起電力を発生させることが可能な形状であればどのような形状の画像としてもよい。
【０１００】
（９）上記した第２の実施の形態においては、選択した位置にＬＥＤランプが位置するようにアンテナ画像を取得して第１の画像データを生成し、装飾画像を記録するための第２の画像データを生成するようにしたが、これに限定されるものではない。即ち、ＬＥＤランプの配置位置を自由に選択して、選択したＬＥＤランプの配置位置に応じたアンテナ画像を取得し、第２の画像データを生成せず、第１の画像データのみを生成するようにしてもよい。この場合には、ＬＥＤランプなどの通知部材が他の記録媒体などで覆われないため、通知部材としてＬＥＤランプではなく、スピーカやバイブレータなどを用いるようにしてもよい。
【０１０１】
また、上記した第２の実施の形態においては、ＬＥＤランプの配置位置と端子６０の位置とが一致する場合について説明したが、これに限定されるものではない。即ち、ＬＥＤランプの配置位置は、端子６０の位置から所定の距離だけ離れた位置となるようにしてもよい。従って、この場合には、配置位置情報取得部６２で取得された配置位置にＬＥＤランプが配置されたときに、ＬＥＤランプと接続可能な位置に端子６０が位置するアンテナ画像が選択されることとなる。
【０１０２】
（１０）上記した第２の実施の形態では、配置位置情報取得部６２において、ユーザーからの入力に基づいてＬＥＤランプの配置位置を取得するようにしたが、これに限定されるものではない。即ち、装飾画像の所定の位置（光らせたい位置）に基づいてＬＥＤランプの配置位置を取得するようにしてもよい。具体的には、装飾画像を、記録媒体情報に基づく画像に配置し、当該画像の記録領域５５における所定の位置の位置情報をＬＥＤランプの配置位置として取得することとなる。なお、ＬＥＤランプの配置位置としては、例えば、記録基準点Ｐ1からの距離または座標値で表されることとなる。なお、この場合には、ＬＥＤランプの配置位置を取得する処理（ステップＳ１００８の処理）をステップＳ１００６の処理の前に実行することとなる。そして、ステップＳ１００６の処理において、記録媒体のサイズ情報などとともにＬＥＤランプの配置位置情報についても、アンテナ画像の解像度に応じた変換を行うこととなる。
【符号の説明】
【０１０３】
１０、７０  画像生成装置
２１  制御部
４０  デバイス情報取得部
４２  位置情報取得部
４４、６４  画像配置部
４６、６６  記録データ生成部
【図１】
2019008747.tif 000003
【図２】
2019008747.tif 000004
【図３】
2019008747.tif 000005
【図４】
2019008747.tif 000006
【図５】
2019008747.tif 000007
【図６】
2019008747.tif 000008
【図７】
2019008747.tif 000009
【図８】
2019008747.tif 000010
【図９】
2019008747.tif 000011
【図１０】
2019008747.tif 000012
【図１１】
2019008747.tif 000013
【図１２】
2019008747.tif 000014
【図１３】
2019008747.tif 000015
【図１４】
2019008747.tif 000016